(57)【要約】【課題】巻き癖が付いた用紙でも、斜行することなく、かつ、紙折れや詰まりが生じることなく、円滑に給紙できる給紙装置を提供する。【解決手段】給紙装置は、複数の用紙Ｐが積載される給紙台２１と、該給紙台２１の給紙下流側の端部に配置された給紙ローラ２４と、該給紙ローラ２４に下方から対設された捌き部材２３と、前記給紙ローラ２４より給紙上流側に配置されると共に用紙の幅方向両端縁を所定位置に規制する一対の用紙幅ガイド２５と、と備え、給紙ローラ２４の回転により、最上位の用紙から一枚ずつ給紙する。前記用紙幅ガイド２５に、該用紙幅ガイド２５の給紙下流側の端縁より給紙上流側の位置において積載用紙Ｐの幅方向の両端部を下方に押さえる一対の押さえローラ２６を昇降自在に設けている。【選択図】図２
0003135941.tif 000002
【実用新案登録請求の範囲】
【請求項１】
複数の用紙が積載される給紙台と、該給紙台の給紙下流側の端部に配置された給紙ローラと、該給紙ローラに下方から対設された捌き部材と、前記給紙ローラより給紙上流側に配置されると共に用紙の幅方向両端縁を所定位置に規制する一対の用紙幅ガイドと、を備え、前記給紙ローラの回転により、最上位の用紙から一枚ずつ給紙する給紙装置において、
前記用紙幅ガイドに、該用紙幅ガイドの給紙下流側の端縁より給紙上流側の位置において積載用紙の幅方向の両端部を下方に押さえる一対の押さえローラを昇降自在に設けていることを特徴とする給紙装置。
【請求項２】
請求項１記載の給紙装置において、
前記用紙幅ガイドに、上下方向に延びる縦溝を形成し、該縦溝に前記押さえローラの軸部を昇降自在に係合していることを特徴とする給紙装置。
【請求項３】
請求項２記載の給紙装置において、
前記用紙幅ガイドに形成される前記縦溝は、給紙方向に間隔をおいて複数本形成され、用紙の寸法に応じて押さえローラを選択的に縦溝に係合することを特徴とする給紙装置。
【請求項４】
請求項１乃至３のいずれかに記載の給紙装置において、
前記給紙ローラの軸部に、積載用紙の給紙下流側の端部の用紙幅方向の両端部を押さえる補助ローラを設けていることを特徴とする給紙装置。
【請求項５】
請求項１乃至４のいずれかに記載の給紙装置において、
前記押さえローラの一個の重量は、前記用紙の米坪量の６５〜１００％の範囲で、かつ、５０ｇ〜２００ｇの範囲であることを特徴とする給紙装置。
【考案の詳細な説明】
【技術分野】
【０００１】
本考案は、複数の用紙が積載された給紙台から、給紙ローラ及び捌き部材により、用紙を一枚ずつ給紙する給紙装置に関する。
【背景技術】
【０００２】
給紙装置は、一般に、孔版印刷機等の各種印刷機、複写機、用紙計数装置等に備えられており、前述のように、給紙ローラ及び捌き部材により、用紙の給紙方向の下流端部を挟持し、一枚ずつ印刷ユニット等の用紙処置部に給紙するようになっている。また、用紙の斜行を防ぐために、給紙台には、通常、用紙の幅方向位置を規制する一対の用紙幅ガイドが設けられている（特許文献１参照）。
【特許文献１】特開２００２−９６９３７号公報
【考案の開示】
【考案が解決しようとする課題】
【０００３】
給紙台上に積載される用紙が、全て平面形状を保っている場合には、用紙幅ガイドにより、用紙は所定の積載位置にガイドされ、斜行や詰まり等が生じることなく、給紙ローラにより給紙される。ところが、用紙の保管状態が悪い場合、たとえば、湿気の多い場所に保管していた場合には、用紙の幅方向の両端部が巻き上がるような巻き癖が付くことがあり、このように巻き癖が付いた用紙を給紙台に積載して給紙を行うと、用紙幅ガイドと積載用紙の幅方向の端縁との間に隙間が生じ、用紙が用紙幅ガイドによって適正な位置にガイドされず、斜行状態で供給されたり、紙折れした状態で給紙されたり、さらには紙詰まりが生じたり、することがある。
【０００４】
（考案の目的）
本考案は、巻き癖が生じている用紙であっても、斜行や、不送り、紙折れ、または詰まり等が生じることなく、円滑に給紙できる給紙装置を提供することを目的としている。
【課題を解決するための手段】
【０００５】
上記課題を解決するため、本考案は、複数の用紙が積載される給紙台と、該給紙台の給紙下流側の端部に配置された給紙ローラと、該給紙ローラに下方から対設された捌き部材と、前記給紙ローラより給紙上流側に配置されると共に用紙の幅方向両端縁を所定位置に規制する一対の用紙幅ガイドと、を備え、前記給紙ローラの回転により、最上位の用紙から一枚ずつ給紙する給紙装置において、前記用紙幅ガイドに、該用紙幅ガイドの給紙下流側の端縁より給紙上流側の位置において積載用紙の幅方向の両端部を下方に押さえる一対の押さえローラを昇降自在に設けている。
【０００６】
上記構成によると、給紙台に積載される用紙に巻き癖が付いている場合でも、一対の押さえローラにより、用紙幅ガイドの給紙下流端より上流側に位置する用紙幅方向両端部を押さえ付けるので、用紙の幅方向端縁を用紙幅ガイドに隙間なく当接させ、ガイドさせることができ、用紙の斜行や不送り等が発生することなく、給紙することができる。
【０００７】
本考案は、上記給紙装置において、前記用紙幅ガイドに、上下方向に延びる縦溝を形成し、該縦溝に前記押さえローラの軸部を昇降自在に係合することができる。
【０００８】
上記構成によると、押さえローラの支持構造が簡単になる。
【０００９】
本考案は、上記給紙装置において、前記用紙幅ガイドに形成される前記縦溝は、給紙方向に間隔をおいて複数本形成され、用紙の寸法に応じて押さえローラを選択的に縦溝に係合することができる。
【００１０】
上記構成によると、異なるサイズの用紙に対しても、常に、用紙の大きさに応じた適切な箇所を、押さえローラにより押さえることができる。
【００１１】
本考案は、上記給紙装置において、前記給紙ローラの軸部に、積載用紙の給紙下流側の端部の用紙幅方向の両端部を押さえる補助ローラを設けることができる。
【００１２】
上記構成によると、積載用紙の給紙方向の途中の幅方向両端部を、押さえローラにより押さえ付けることに加え、用紙の給紙下流側の端部の幅方向両端部も補助ローラにより押さえることができるので、斜行、不送り、紙詰まり等を、より効果的に防止できる。
【００１３】
本考案は、上記給紙装置において、前記押さえローラの一個の重量は、前記給紙の米坪量の６５〜１００％の範囲で、かつ、５０ｇ〜２００ｇの範囲とすることができる。
【００１４】
上記構成によると、押さえローラの重みにより用紙の巻き癖を確実に平面状に矯正できる一方、給紙時において、押さえローラと用紙との間の摩擦抵抗を、用紙の移動に影響を与えない程度の抑えることができる。
【考案を実施するための最良の形態】
【００１５】
図１乃至図６は、本考案による給紙装置を孔版印刷機に備えた例を示しており、説明の都合上、図１中に記載してあるように、給紙方向（矢印Ｆ）の上流側を「後側」、給紙方向Ｆの下流側を「前側」と称し、また、用紙搬送方向と直交する用紙幅方向を「左右方向」として、以下説明する。
【００１６】
[孔版印刷機の全体構造]
図１は透視して示す孔版印刷機の概略側面図であり、印刷機本体１には、後端部に給紙装置２が設けられ、前端部に紙受台３が設けられている。
【００１７】
印刷機本体１内には、前後方向の概ね中間部に印刷ユニット５が設けられ、印刷ユニット５の上部後側には製版装置６が設けられ、印刷ユニット５の上部前側には排版装置７が設けられ、印刷ユニット５の画像形成部Ａの前側にはエア吸引式のベルト排紙装置８が設けられている。
【００１８】
製版装置６はサーマルヘッド９で孔版原紙Ｎを製版し、製版済みの孔版原紙Ｎを印刷ユニット５の版胴１０に装着するようになっている。
【００１９】
印刷ユニット５は、上記印刷用の版胴１０と、該版胴１０の下端部に下方から当接自在に対向する押圧ローラ１１等とから構成されており、印刷用版胴１０の内周面にインクローラ１２が配置され、版胴１０と押圧ローラ１１との間で形成される上記画像形成部Ａで印刷用紙Ｐを挟持し、印刷用紙Ｐの上面に印刷するようになっている。
【００２０】
排版装置７は前記版胴１０に装着された使用済みの孔版原紙Ｎを取り外し、排版ロール１３として巻き取るようになっている。
【００２１】
印刷ユニット５の後部近傍には、上下一対のタイミングローラ１５が配置されており、前記版胴１０の駆動と同期して適宜タイミングで回転し、印刷用紙Ｐを印刷ユニット５へ送り込むようになっている。
【００２２】
[給紙装置]
給紙装置２は、略水平姿勢に配置された昇降可能な給紙台２１と、該給紙台２１の前側に略垂直に立設された前端当て板２２と、該前端当て板２２の上端部に前上がりに形成された捌き板２３と、該捌き板２３に上方から対設されたゴム製の給紙ローラ２４と、給紙台２１上に立設された左右一対の用紙幅ガイド２５と、該用紙幅ガイド２５に設けられた左右１対の金属製の押さえローラ２６等から構成されている。
【００２３】
図２は図１の給紙装置２の斜視図、図３は図２の給紙装置２の平面図、図４は図３のIV-IV断面図、図５は図３のV-V断面図、図６は図３のVI-VI断面図である。
【００２４】
図２において、給紙ローラ２４は、用紙左右幅の中央部に左右方向に間隔をおいて三個配置されると共に、単一の軸部２４ａに固着されており、該軸部２４ａは、左右方向に延びると共に、図示しない動力伝達機構を介して駆動モータ等の駆動装置に連結され、所定の給紙タイミングで用紙Ｐを給紙方向Ｆに送り出すように、所定の給紙タイミングで給紙ローラ２４を矢印Ｒ方向に所定回転数だけ回転するようになっている。さらに、軸部２４ａの左右端部には、積載用紙Ｐの前端部の左右両端部に上方から当接する一対の樹脂製補助ローラ３０が固定されている。各補助ローラ３０には複数本の長孔３０ａが形成されると共に軸支持孔３０ｂが形成されており、該軸支持孔３０ｂに軸部２４ａを圧入することにより、左右方向位置調節可能に軸部２４ａに固定されている。
【００２５】
用紙幅ガイド２５は、前後方向に沿う垂直なガイド面２５ａを有すると共に下端に水平な底壁２５ｂを一体に有しており、左右方向位置調節自在に給紙台２１上に設置されている。各用紙幅ガイド２５には、前後方向に間隔を置いて押さえローラ係止用の縦溝３１が二本ずつ形成されており、該縦溝３１に、押さえローラ２６の軸部２６ａが回転自在かつ昇降自在に係合している。押さえローラ２６の軸部２６ａの用紙幅方向の外方端部には、抜け止め用のフランジ部２６ｂが軸部２６ａと一体に形成されている。押さえローラ２６はステンレス鋼、鉄等の金属でできており、給紙台２１上に積載された用紙Ｐの各用紙幅ガイド２５に当接する端縁近傍の部位を、押さえローラ２６の自重により上方から押さえ付けるようになっている。
【００２６】
前記押さえローラ２６の重量は、一個当たり、用紙Ｐの米坪量の６５〜１００％の範囲で、かつ、５０ｇ〜２００ｇの範囲に設定されている。
【００２７】
［作用］
まず、孔版印刷機全体の作用を、簡単に説明する。
（１）図１において、給紙装置２の給紙台２１上に積載されている複数の印刷用紙Ｐは、給紙ローラ２４と捌き板２３との間で挟持され、所定の給紙タイミングで給紙ローラ２４が回転することにより、最上位から一枚ずつタイミングローラ１５に供給される。
【００２８】
（２）タイミングローラ１５は、版胴１０の回転角度（印刷開始位置）に合わせ、印刷用紙Ｐを第１の印刷ユニット５の画像形成部Ａに送り込む。
【００２９】
（３）印刷ユニット５の画像形成部Ａで印刷用紙Ｐを上下から挟持し、上面に印刷を施し、印刷後の用紙Ｐをベルト排紙装置８に排出する。ベルト排紙装置８は紙受台３に印刷用紙Ｐを排出する。
【００３０】
図２において、上記のような印刷作業において、給紙装置２の給紙台２１上に積載される用紙Ｐは、前端が前端当て板２２に当接することにより揃えられ、左右両端縁（用紙幅方向の両端縁）が、給紙方向Ｆに正確に向くように左右の用紙幅ガイド２５のガイド面２５ａによりガイドされ、前端部（給紙下流側の端部）の中央部が、三個の給紙ローラ２４により下方に押さえ付けられ、前端部の左右端部が補助ローラ３０により下方に押さえ付けられている。そして、左右の押さえローラ２６により、用紙幅ガイド２５の近傍の左右両端部が下方に押さえ付けられている。
【００３１】
このように給紙台２１上に積載していると、仮に、用紙Ｐの保管中に、符号Ｐａで示すように左右端部に巻き癖が付いていても、斜行、紙折れ又は紙詰まりが生じることなく、給紙することができる。すなわち、図６に示すように用紙Ｐの後端部は左右端部Ｐａが湾曲状に巻上がった状態となっているが、図４に示すように、用紙Ｐの前端部は、三個の用紙幅中央部の給紙ローラ２４と、左右両端部の補助ローラ３０により平面状に保たれ、かつ、図５に示すように、用紙Ｐの前後方向の途中部分、すなわち用紙幅ガイド２５に対応する部分は、左右の押さえローラ２５により平面状に保たれ、これにより、用紙Ｐの左右端縁が左右の用紙幅ガイド２５のガイド面２５ａに隙間無く当接し、所定の積載位置に正確にガイドされた状態となっている。
【００３２】
したがって、給紙動作が行われた場合、最上位の用紙Ｐは、左右の用紙幅ガイド２５により給紙方向Ｆと正確に平行になるようにガイドされると共に押さえローラ２６により平面状に保たれ、斜行することなく、用紙の折れや、紙詰まり等が生じることもなく、正確に給紙ローラ４から給紙方向Ｆに給紙され、タイミングローラ１５へと供給される。
【００３３】
サイズの異なる用紙を積載する場合、たとえば、図２に示す用紙よりも小さい用紙を積載する場合には、左右の用紙幅ガイド２５の間隔を用紙幅に合わせるように狭め、かつ、前側の縦溝３１に押さえローラ２６を移し変える。
【００３４】
また、押さえローラ２６の一個当たりの重量は、用紙Ｐの米坪量の６５〜１００％の範囲で、かつ、５０ｇ〜２００ｇの範囲に設定されているので、押さえローラ２６の重みにより用紙Ｐの巻き癖を確実に平面状に矯正できる一方、給紙時において、押さえローラ２６と用紙Ｐとの間の摩擦抵抗を、用紙Ｐの移動に影響を与えない程度に抑えることができる。
［その他の実施の形態］
（１）本考案においては、左右の押さえローラ２６を、連結ロッドにより一体的に連結した構造とすることもできる。
【００３５】
（２）前記実施の形態では、押さえローラ２６が自重により積載用紙Ｐを押さえ付けているが、本考案では、ばね等の付勢手段により押さえローラ２６を下方に付勢する構造とすることもできる。
【００３６】
（３）本考案は、前記各実施の形態に限定されるものではなく、実用新案登録請求の範囲に記載された内容を逸脱することのない範囲で、各種変形例を含んでいる。
【産業上の利用可能性】
【００３７】
本考案にかかる給紙装置は、孔版印刷機だけでなく、他の印刷機、複写機又は用紙計数機等の給紙装置としても利用することが可能である。
【図面の簡単な説明】
【００３８】
【図１】本考案による給紙装置を備えた孔版印刷機を透視して示す概略側面図である。
【図２】図１の給紙装置の斜視図である。
【図３】図１の給紙装置の平面図である。
【図４】図３のIV-IV断面図である。
【図５】図３のV-V断面図である。
【図６】図３のVI-VI断面図である。
【符号の説明】
【００３９】
１  印刷機本体
２  給紙装置
２１  給紙台
２３  捌き板（［捌き部材）
２４  給紙ローラ
２４ａ  給紙ローラの軸部
２５  用紙幅ガイド
２６  押さえローラ
２６ａ  押さえローラの軸部
３０  補助ローラ
３１  縦溝
Ｐ  印刷用紙
【図１】
0003135941.tif 000003
【図２】
0003135941.tif 000004
【図３】
0003135941.tif 000005
【図４】
0003135941.tif 000006
【図５】
0003135941.tif 000007
【図６】
0003135941.tif 000008